(57)【要約】【課題】センサが測定した生体情報と患者との対応付けを正確に行うことが可能なセンサシステムを提供する。【解決手段】患者を識別することが可能な患者識別情報が記憶された記憶部を有するリストバンド２と、患者の生体情報を計測することが可能なセンサ３とを備え、リストバンド２は、リストバンド２とセンサ３が患者に取り付けられた状態において、当該患者の体表面を介する人体通信により患者識別情報をセンサ３に送信可能であり、センサ３は、患者識別情報を生体情報に対して付与した後に、患者識別情報付きの生体情報をベッドサイドモニタ４に向けて送信する。【選択図】図１
2018000315.tif 000002
【特許請求の範囲】
【請求項１】
患者を識別することが可能な患者識別情報が記憶された記憶部を有するＩＤタグと、
患者の生体情報を計測することが可能なセンサと、
を備え、
前記ＩＤタグは、前記ＩＤタグと前記センサが患者に取り付けられた状態において、当該患者の体表面を介する人体通信により前記患者識別情報を前記センサに送信可能であり、
前記センサは、前記患者識別情報を前記生体情報に対して付与した後に、前記患者識別情報付きの前記生体情報を外部機器に向けて送信する、
センサシステム。
【請求項２】
前記ＩＤタグは、患者の身体の一部に装着することが可能である、
請求項１に記載のセンサシステム。
【請求項３】
前記ＩＤタグは、患者の手首に装着可能なリストバンドであり、当該患者の患者識別情報が当該リストバンド上に記載されている、
請求項２に記載のセンサシステム。
【請求項４】
前記センサは、前記生体情報の計測を開始する前に、前記ＩＤタグから前記患者識別情報を取得する、
請求項１から請求項３のいずれか一項に記載のセンサシステム。
【請求項５】
前記センサは、前記患者識別情報を取得する前に前記生体情報の計測が開始されても、前記外部機器に向けた前記生体情報の送信を開始しない、
請求項１から請求項４のいずれか一項に記載のセンサシステム。
【請求項６】
前記センサは、前記患者識別情報を取得する前に前記生体情報の計測を開始した場合、特定の患者識別情報が付与されていないことを示す未付与識別子を前記生体情報に付与して、前記未付与識別子付きの前記生体情報を前記外部機器に向けて送信する、
請求項１から請求項４のいずれか一項に記載のセンサシステム。
【発明の詳細な説明】
【技術分野】
【０００１】
本発明は、センサを用いて情報を取得するセンサシステムに関するものである。
【背景技術】
【０００２】
センサを患者に取り付けた状態で、センサと表示装置とをケーブル（有線）で接続する構成では、そのケーブルにより患者の動きを拘束してしまう場合がある。そこで、例えば、センサと表示装置とを無線で通信することを可能に構成したシステムがある（特許文献１参照）。
【先行技術文献】
【特許文献】
【０００３】
【特許文献１】米国特許第８５５８９３３号明細書
【発明の概要】
【発明が解決しようとする課題】
【０００４】
しかしながら、特許文献１に記載のシステムでは、複数の患者が表示装置の近距離にいる場合、センサと表示装置との間における無線通信が混線してしまい、センサが測定した生体情報と患者との対応付けを正確に行えない事態が考えられる。
【０００５】
そこで、本発明は、センサが測定した生体情報と患者との対応付けを正確に行うことが可能なセンサシステムを提供することを目的とする。
【課題を解決するための手段】
【０００６】
上記目的を達成するために、本発明のセンサシステムは、
患者を識別することが可能な患者識別情報が記憶された記憶部を有するＩＤタグと、
患者の生体情報を計測することが可能なセンサと、
を備え、
前記ＩＤタグは、前記ＩＤタグと前記センサが患者に取り付けられた状態において、当該患者の体表面を介する人体通信により前記患者識別情報を前記センサに送信可能であり、
前記センサは、前記患者識別情報を前記生体情報に対して付与した後に、前記患者識別情報付きの前記生体情報を外部機器に向けて送信する。
【０００７】
この構成によれば、医療従事者により患者毎にユニークに付与される患者識別情報が、その患者の体表面を介してセンサに送信される。このため、センサは、そのセンサを装着している患者の患者識別情報を確実に生体情報に付与することができる。そして、外部機器では、生体情報と患者識別情報とが正確にリンクされた状態の生体情報（患者識別情報付き生体信号）を受信することが可能であるため、その生体情報を計測したセンサと患者とを正確に対応づけた状態で、表示画面等に表示することができる。
【発明の効果】
【０００８】
本発明のセンサシステムによれば、センサが測定した生体情報と患者との対応付けを正確に行うことができる。
【図面の簡単な説明】
【０００９】
【図１】本発明の実施形態に係るセンサシステムの概要図である。
【図２】リストバンドとセンサとの機能を説明するためのブロック図である。
【図３】ベッドサイドモニタに表示されるメッセージ画像の一例を示す図である。
【図４】ベッドサイドモニタに表示される生体情報の一例を示す図である。
【発明を実施するための形態】
【００１０】
以下、本実施形態の一例について、図面を参照して説明する。
図１に示すように、本実施形態に係るセンサシステム１は、患者に装着されるリストバンド２（ＩＤタグの一例。ＩＤ：identification）と、同じく患者に装着されるセンサ３と、センサ３と通信可能なベッドサイドモニタ４（外部機器の一例）と、ベッドサイドモニタ４と通信可能なナースコールシステム５とを備えている。なお、図１は、ある病院におけるワンフロアの一部の様子を示している。病室１００にベッドサイドモニタ４が設置され、ナースステーション２００にナースコールシステム５が設置されている。
【００１１】
リストバンド２は、患者の身体の一部、例えば手首や足首等に装着することが可能である。リストバンド２には、その患者を識別することが可能な患者識別情報が目視で確認できるような態様で記載されている。患者識別情報は、病院から各患者に付与されるユニークな患者情報であり、例えば患者ＩＤ、患者氏名、診察券番号等が含まれうる。
【００１２】
センサ３は、必要に応じて患者の身体の一部に装着され、その患者の生体情報を計測することが可能である。センサ３には、例えば心電図を計測するためのセンサ３ａ、体温やＳｐＯ２を計測するためのセンサ３ｂ、呼吸を計測するためのセンサ３ｃ等が含まれる。センサ３は、近距離型の無線通信機能を有するワイヤレスセンサであり、ベッドサイドモニタ４との間で無線通信（例えばBluetooth（登録商標））可能に構成されている。
【００１３】
ベッドサイドモニタ４は、各入院患者が使用するベッド毎に設置されている。ベッドサイドモニタ４は、表示画面４１を有しており、無線通信でセンサ３から受信した患者の生体情報を表示画面４１に表示可能である。また、ベッドサイドモニタ４は、ナースコールシステム５との間で通信可能に構成されている。ベッドサイドモニタ４とナースコールシステム５とは、例えば有線ケーブルや無線ＬＡＮ（ＬＡＮ：Local Area Network）を介して接続可能である。
【００１４】
ナースコールシステム５には、入院している全患者の情報が記録された患者情報テーブルが保有されている。患者情報テーブルには、例えば患者ＩＤ、患者氏名、入院する部屋番号、ベッド番号、担当医師、担当看護師等の情報が患者毎にそれぞれ対応付けて記憶されている。ナースコールシステム５は、患者情報テーブルの情報を無線通信でベッドサイドモニタ４に送信可能である。また、ナースコールシステム５は、表示画面５１を有しており、ベッドサイドモニタ４から受信した患者の生体情報を表示画面５１に表示可能である。
【００１５】
図２に示すように、リストバンド２は、記憶部２１と、人体通信部２２と、開始スイッチ２３と、電源部２４とで構成される電子デバイス部を備えている。
記憶部２１には、患者識別情報が記憶されている。記憶される患者識別情報は、患者ＩＤ、患者氏名、診察券番号等のうちの一種類の情報であっても複数種類の情報であってもよい。記憶部２１の患者識別情報は、書き換え可能である。電子デバイス部は、患者識別情報を書き換えることにより繰り返し使用可能である。
【００１６】
人体通信部２２は、センサ３との間で人体通信を行うための通信部であり、例えばＩＣチップで構成されている。人体通信とは、ケーブルを使わずに人体（誘電体）を通信媒体として利用する通信方式のことをいい、国際標準規格「IEEE 802.15.6」に基づいている。人体通信には、例えば誘電体である人体がもともと持つ体表面の静電気の層に信号を与えて通信を行う電解方式が用いられている。なお、静電気の層は、人体の表面を数センチ覆っているため、リストバンド２は、人体通信部２２が直接人体に接触されていない状態でも電解方式によりセンサ３と通信可能である。
【００１７】
開始スイッチ２３は、人体通信部２２を起動させて人体通信を開始させるためのスイッチである。電源部２４には、例えばコイン電池が用いられている。
【００１８】
図２に示すように、センサ３は、人体通信部３１と、計測部３２と、送信部３３と、電源部３４とを備えている。
人体通信部３１は、上記リストバンド２の人体通信部２２と同様の機能を有する通信部である。人体通信部３１は、リストバンド２の人体通信部２２との間で人体通信を行い、リストバンド２が保有する患者識別情報を受信する。
【００１９】
計測部３２は、センサ３が装着される患者の生体情報を計測する。送信部３３は、計測部３２が計測した生体情報に、リストバンド２から受信された患者識別情報を付与してベッドサイドモニタ４へ送信する。電源部３４には、例えばコイン電池が用いられている。
【００２０】
次に、図１〜図４を参照して、センサシステム１の動作例を説明する。
先ず、初期設定として、入院が決まった患者（例えば、患者Ａと称する）に対して、ナースコールシステム５上で患者情報テーブルが作成される。また、リストバンド２上に例えば患者Ａの氏名（Ａ子さん）が表記されるとともに、リストバンド２内に埋め込まれた記憶部２１に患者Ａの患者ＩＤが書き込まれる。医療従事者から患者Ａにリストバンド２が渡され、リストバンド２が患者Ａの手首に装着される。
【００２１】
病室１００のベッド６１で例えば横になっている患者Ａに対して、医療従事者により、例えば心電図を計測するためのセンサ３ａが装着される。そして、リストバンド２の人体通信部２２を起動させるための開始スイッチ２３が医療従事者により押下される。この際に、医療従事者は、リストバンド２上に表記されている患者の氏名を目視で確認して、患者Ａ本人であることを確認することが望ましい。
【００２２】
リストバンド２の人体通信部２２が人体通信を開始し、記憶部２１に記憶されている患者Ａの患者ＩＤが、患者Ａの体表面を介してセンサ３ａに送信される。患者ＩＤは、その後一定周期毎にリストバンド２からセンサ３ａへ自動的に送信される。
【００２３】
センサ３ａの人体通信部３１は、リストバンド２から送信されてきた患者ＩＤを取得する。この場合、センサ３ａは、心電図の計測を開始する前に、リストバンド２から患者ＩＤを取得する。このため、例えばセンサ３ａは、患者ＩＤを取得するまでの間、計測部３２による心電図の計測を停止しておくようにしてもよい。
【００２４】
なお、リストバンド２とセンサ３ａ間の通信方式は双方向通信であっても単方向通信であってもよい。例えば双方向通信の場合、センサ３ａは、患者ＩＤを要求する信号をリストバンド２に対して送信し、患者ＩＤをリストバンド２から取得するようにしてもよい。また、図示を省略するが、センサ３ａは、記憶部を有し、リストバンド２から取得する患者ＩＤをその記憶部に記憶しておくようにしてもよい。
【００２５】
センサ３ａは、計測部３２で計測した患者Ａの心電図に対して患者Ａの患者ＩＤを付与した後に、患者ＩＤ付きの心電図を送信部３３からベッドサイドモニタ４へ向けて無線送信する。センサ３ａは、例えば先頭のヘッダー領域に患者ＩＤを書き込み、ヘッダー領域の後段に続くデータ領域に心電図データを書き込んだ患者ＩＤ付きの心電図を送信する。
【００２６】
センサ３ａは、リストバンド２から患者ＩＤを取得する前に計測部３２による心電図の計測が開始された場合、送信部３３による心電図の送信を開始しない。すなわち、センサ３ａは、患者ＩＤが付与されていない心電図を、送信部３３からベッドサイドモニタ４へ向けて送信しないように設定されている。
【００２７】
ベッドサイドモニタ４は、患者ＩＤ付き心電図を受信すると、ナースステーション２００のナースコールシステム５に保有されている患者情報テーブルを参照し、患者ＩＤに対応付けられている患者Ａの氏名（「Ａ子さん」）を特定する。ベッドサイドモニタ４は、例えば図３に示すように、表示画面４１に「Ａ子さんの心電図を受信しました」というメッセージをポップアップ画面４２で表示する。
【００２８】
医療従事者は、ポップアップ画面４２の表示内容を確認し、Ａ子さんが患者本人であるかを確認した後、ポップアップ画面４２上をタッチする。
【００２９】
ベッドサイドモニタ４は、ポップアップ画面４２を消去させて、図４に示すように、表示画面４１上に患者Ａの心電図波形を例えば患者Ａの氏名（「Ａ子さん」）と共に表示する。なお、この例では心電図を計測するセンサ３ａの場合を説明したが、体温を計測するセンサ３ｂ、呼吸を計測するセンサ３ｃの場合も同様に動作し、各生体情報が表示画面４１に表示される。
【００３０】
上記ベッドサイドモニタ４に表示される患者Ａの各生体情報は、ナースコールシステム５側の操作により、ベッドサイドモニタ４からナースコールシステム５へ無線送信され、ナースコールシステム５の表示画面５１上に表示されうる。
【００３１】
ところで、従来、ワイヤレスセンサを用いて患者情報を計測する医療機器では、例えば患者Ａにセンサａ〜ｃ（図示せず）が装着され、患者Ｂにセンサｄ〜ｆ（図示せず）が装着されているような場合、センサから情報を受信した医療機器は、センサａの情報が患者Ａの情報であることを自動的に対応付けることができない。この場合、例えば各センサが有する機器番号と患者情報とを対応付けることが可能であるが、この対応付け作業においてヒューマンエラーが発生する可能性がある。また、例えばセンサ毎に患者ＩＤを手入力して対応付けることも考えられるが、上記同様にヒューマンエラーが発生する可能性があるとともに、患者が変わるたびに、対応付けした患者ＩＤを消込する作業が必要となり作業負荷が増大する。
【００３２】
これに対し、本実施形態のセンサシステム１によれば、医療従事者により患者Ａに付与されるユニークな患者ＩＤが、その患者Ａの体表面を介してリストバンド２からセンサ３ａに送信される。このため、センサ３ａは、そのセンサ３ａを装着している患者Ａの患者ＩＤをセンサ３ａで計測された心電図に間違いなく付与することができる。そして、ベッドサイドモニタ４では、計測された心電図と患者ＩＤとが正確に対応付けられた状態の患者ＩＤ付き心電図の信号を受信することが可能であるため、その心電図を計測したセンサ３ａと患者Ａ（「Ａ子さん」）とを正確に対応づけた状態で、表示画面４１等に表示することができる。
【００３３】
また、リストバンド２は、患者Ａの手首に装着することが可能であり、リストバンド２上には患者Ａの氏名が表記されている。このため、リストバンド２が記憶する患者Ａの患者ＩＤを患者Ａの体表を介して確実にセンサ３ａに付与することができる。また、医療従事者は、センサ３ａを装着する際に、リストバンド２上の患者Ａの氏名と患者本人とが間違いなく対応していることを目視で確認することができる。なお、ここで、「表記する」とは、例えば、リストバンド２が液晶画面を有し、ボタン操作等に応じてその液晶画面に患者の氏名が表示される態様も含み得る意味である。
【００３４】
また、センサ３ａは、心電図の計測を開始する前に、リストバンド２から患者ＩＤを取得するように構成されている。また、センサ３ａは、患者ＩＤを取得する前に心電図の計測が開始されても、ベッドサイドモニタ４に向けた心電図の送信を開始しないように構成されている。このため、医療従事者や患者がセンサと患者を対応付けるための特別の作業を行うことなく、センサ３ａを装着している患者Ａの患者ＩＤを自動的に心電図に付与することができる。また、センサ３ａが計測した心電図と患者Ａとの対応付けを正確に行えない事態が発生することを抑止することができる。
【００３５】
＜変形例＞
センサ３ａは、リストバンド２から患者ＩＤを取得する前に計測部３２による心電図の計測が開始された場合、患者ＩＤが付与されていないことを示す識別子（例えば未付与識別子）を心電図に付与して、未付与識別子付きの心電図を送信部３３からベッドサイドモニタ４へ向けて送信するようにしてもよい。この場合、未付与識別子付き心電図を受信したベッドサイドモニタ４は、表示画面４１に例えば「まだ患者を特定できていません」というメッセージを表示してもよい。
【００３６】
このような構成によれば、センサ３ａが測定した心電図と患者Ａとの対応付けを正確に行えない事態が発生することを抑止することができる。そして、上記実施形態と同様に、患者Ａに装着されたセンサ３ａによって計測された患者Ａの心電図をベッドサイドモニタ４の表示画面４１等に表示することができる。また、例えば患者Ａが装着するリストバンド２の記憶部２１に患者ＩＤが書き込まれていないような不具合が生じた場合でも、その不具合を検出しうる。
【００３７】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００３８】
１：センサシステム、２：リストバンド（ＩＤタグの一例）、３（３ａ〜３ｃ）：センサ、４：ベッドサイドモニタ（外部機器の一例）、５：ナースコールシステム、２１：記憶部、２２，３１：人体通信部、２３：開始スイッチ、２４，３４：電源部、３２：計測部、３３：送信部、４１，５１：表示画面、１００：病室、２００：ナースステーション
【図１】
2018000315.tif 000003
【図２】
2018000315.tif 000004
【図３】
2018000315.tif 000005
【図４】
2018000315.tif 000006